(57)【要約】【課題】本を自由に開いても栞が全く落下しないこと。【解決手段】本の大きさに対応する所定長さの可撓性紐のしおり本体と、このしおり本体の一端部に取付けられた薄板状の調整具と、この調整具を基準として少なくとも本の表紙又は裏表紙に巻装状態に遊嵌合する縮小・拡大ループ部を形成する該調整具の通過孔を通過し、かつ、所望の開閉頁に挟まれるしおり本体の直線部から本の小口側へと露出するしおり本体の他端部に設けられた錘とから成る栞。【選択図】  図１
2004202809.tif 000002
【特許請求の範囲】
【請求項１】
本の大きさに対応する所定長さの可撓性紐のしおり本体と、このしおり本体の一端部に取付けられた薄板状の調整具と、この調整具を基準として少なくとも本の表紙又は裏表紙に巻装状態に遊嵌合する縮小・拡大ループ部を形成する該調整具の通過孔を通過し、かつ、所望の開閉頁に挟まれるしおり本体の直線部から本の小口側へと露出するしおり本体の他端部に設けられた錘とから成る栞。
【請求項２】
請求項１に於いて、錘は、飾りであることを特徴とする栞。
【請求項３】
本の大きさに対応する所定長さのチェーンのしおり本体と、このしおり本体の一端部に取付けられた調整リングと、この調整リングを基準として少なくとも本の表紙又は裏表紙に巻装状態に遊嵌合する縮小・拡大ループ部を形成する該調整リングの通過孔を通過し、かつ、所望の開閉頁に挟まれるしおり本体の直線部から本の小口側へと露出するしおり本体の他端部に設けられた錘とから成る栞。
【請求項４】
本の大きさに対応する所定長さの可撓性紐のしおり本体と、このしおり本体の一端部に取付けられた薄板状の調整具と、この調整具を基準として少なくとも本の表紙又は裏表紙に巻装状態に遊嵌合する縮小・拡大ループ部を形成する該調整具の通過孔を通過し、かつ、所望の開閉頁に挟まれるしおり本体の直線部から本の小口側へと露出するしおり本体の他端部に設けられた錘とから成り、前記調整具には、第２又は第３所望の開閉頁（第２見開きか、又は第３見開き）に挟まれるしおり補助体の直線部の一端部が取付けられ、一方、本の小口側へと露出する該しおり補助体の他端部には第２の錘が設けられていることを特徴とする栞。
【発明の詳細な説明】
【０００１】
【発明の属する技術分野】
本発明は、本の所望する頁にしおり本体を挟んで開閉頁の目印とする栞に関する。
【０００２】
【従来の技術】
本発明の目的に一番近い従来例は、特開平８−２１４３号公報に記載されている。この従来例の発明が解決しようとする課題の中には、「本に簡単に脱着すること、本を開く際、とじている力が加わらなくなっても容易に落下しないこと、さらに、１つのしおりで本の複数の頁を目印とすることのできること」である。
【０００３】
従来例は、上記目的を達成するために、本に挟装自在な細長のしおり本体と、このしおり本体を前記本の小口の綴じ部側で係止するしおり本体の一端に設けた係止部とを有し、しおり本体を本の所定頁間で折返し自在に形成したものである。
【０００４】
【発明が解決しようとする課題】
本発明も従来例と同一の目的（装着が簡単であること、複数の頁を目印にすることができること等）有している。しかしながら、従来例は、本を開いた時に於いて、本の下小口（紙の端面）から係止部が外れると、しおりが落下する可能性がある。また、係止部により本の紙縁を傷める場合がある。
【０００５】
そこで、本発明の第１の目的は、本を自由に開いても栞が落下しないことである。また、本発明の第２の目的は、少なくとも本の表紙又は裏表紙に巻装状態に遊嵌合する縮小・拡大ループ部を当該本の大きさに対応して簡単に調整することができることである。また、本発明の第３の目的は、しおり本体を所望する開閉頁に挟めることができると共に、本の小口側へと露出したしおり本体の他端部の錘に飾り機能を付与することができることである。さらに、本の紙縁を傷めないことである。なお、実施例によっては、しおり本体及びしおり補助体を利用し、計三箇所以上を目印とすることができる栞を提供することである。
【０００６】
【課題を解決するための手段】
本発明の栞は、本の大きさに対応する所定長さの可撓性紐のしおり本体と、このしおり本体の一端部に取付けられた薄板状の調整具と、この調整具を基準として少なくとも本の表紙又は裏表紙に巻装状態に遊嵌合する縮小・拡大ループ部を形成する該調整具の通過孔を通過し、かつ、所望の開閉頁に挟まれるしおり本体の直線部から本の小口側へと露出するしおり本体の他端部に設けられた錘とから成る。
【０００７】
また本発明の栞は、本の大きさに対応する所定長さのチェーンのしおり本体と、このしおり本体の一端部に取付けられた調整リングと、この調整リングを基準として少なくとも本の表紙又は裏表紙に巻装状態に遊嵌合する縮小・拡大ループ部を形成する該調整リングの通過孔を通過し、かつ、所望の開閉頁に挟まれるしおり本体の直線部から本の小口側へと露出するしおり本体の他端部に設けられた錘とから成る。
【０００８】
さらに、本発明の栞は、本の大きさに対応する所定長さの可撓性紐のしおり本体と、このしおり本体の一端部に取付けられた薄板状の調整具と、この調整具を基準として少なくとも本の表紙又は裏表紙に巻装状態に遊嵌合する縮小・拡大ループ部を形成する該調整具の通過孔を通過し、かつ、所望の開閉頁に挟まれるしおり本体の直線部から本の小口側へと露出するしおり本体の他端部に設けられた錘とから成り、前記調整具には、第２又は第３所望の開閉頁（第２見開きか、又は第３見開き）に挟まれるしおり補助体の直線部の一端部が取付けられ、一方、本の小口側へと露出する該しおり補助体の他端部には第２の錘が設けられていることを特徴とする。ここで「紐」とは、帯状のもの、糸状或いはリボン状のもの、断面が楕円形のものを含む。
【０００９】
【発明の実施の形態】
図１〜図６を参照にして一つの実施の形態（第１実施例）を説明する。Ｘは本の所望する頁にしおり本体を挟んで開閉頁の目印とする栞である。１は本の大きさに対応する所定長さの可撓性紐しおり本体である（ここで、漢字の「栞」は全体を意味し、ひらがなの「しおり本体」は、それを構成する一要件である）。しおり本体１は、所定の本の大きさに対応する所定長さ（例えば単行本、Ｂ５サイズ、Ａ４サイズの各種の本にそれぞれ対応できる長さの意味合）を有する。例えば、５０ｃｍ〜９０ｃｍの長さである。幅は２ｍｍ〜５ｍｍの帯状である。材質は合成繊維である。しおり本体１の長さ（例えば１ｍ）、幅（７ｍｍ）、材質（本を傷めないようなゴム製のものも含む）に関しては、発明の効果が変らない範囲で自由に選択することができる。
【００１０】
発明の特定要件として、しおり本体１の長さは、（１）少なくとも本の表紙又は裏表紙を第１見開きとし、（２）この第１見開きを前提条件として所望する開閉頁を第２見開きとし、（３）本を閉じた時に本の小口側に後述する錘が出ることである。したがって、しおり本体１は、普通一般の糸状しおりのように「可撓性部材」であることが必要である。
【００１１】
２は薄板状の調整具である。調整具２は金属板であり、その厚さは０．２ｍｍ〜１ｍｍ以内である。調整具２は本を閉じた時、その位置如何により挟装されることがある。その場合なるべく本が部分的（ポイント的）に膨らまないようにするために薄板状であることが望ましい。図２で示すように、調整具２は普通一般のバックルの構造と同様であるため、取付け部２ａ並びに２個のしおり本体通し用の通過孔３を有している。したがって、調整具２の取付け部２ａにしおり本体１の一端部１ａが取付けられる。
【００１２】
４は調整具２を基準として出来上がった少なくとも本の表紙又は裏表紙に巻装状態に遊嵌合する縮小・拡大ループ部である。図１で示すようにしおり本体１の他端部１ｂを調整具２の通過孔３に通すと、任意の縮小・拡大ループ部４が出来上がる。
【００１３】
５は該調整具の通過孔を通過し、かつ、所望の開閉頁に挟まれるしおり本体の直線部で、この直線部５の端部（しおり本体１の他端部）１ｂには金属製の錘６が取付けられている。しおり本体１の他端部１ｂは、前出したように本の第２見開きに直線部５を挟んで本を閉じた時に本の小口側に垂れ下がり状態で露出する。前記錘６は、本実施例では偏平状の飾りである。錘６の形状は、動物、植物、架空の人物やロボット、各種のキャラクターの観念が彷彿されるようにデザインされている。
【００１４】
図３〜図６を参照にして栞Ｘの使用状態を説明する。まず図３は、縮小・拡大ループ部４を所望する本８の表紙８ａに巻装状態に遊嵌合した場合を示す。この場合少なくとも表紙８ａのみ、又は表紙８ａを含む所望の頁である第１見開き１０に縮小・拡大ループ部４を遊嵌合しても良い。表紙８ａ或いは第１見開き１０に縮小・拡大ループ部４を遊嵌合した場合には、ループ部４の内側部分は本に挟まれ、一方、ループ部４の外側部分は本の外壁面に露呈する。
【００１５】
図４は遊嵌合状態のループ部４を表紙８ａ或いは第１見開き１０にフイットさせるために、調整具２を一方の指で摘み、一方、他方の指で直線部５又は錘６を引っ張った時の説明図である。この時、直線部５又は錘６を引っ張ると、ループ部４が収縮するが、引っ張った後に該錘６を本８の上方小口１１又は下方小口１２のいずれに露出させるかによって調整具２の位置が決定される。
【００１６】
図５は錘６を本８の上方小口１１の方に露出させるために、調整具２を基準として直線部５の基部側を下方小口１２から折り返し、かつ、第２見開き１３の本の喉側（とじめの部分側）に沿わせるようにして直線部５の端部（しおり本体１の他端部）１ｂ及び錘６を上方小口１１へと出した状態を示す。したがって、本８を閉じると、飾り機能を有する錘６がストラップ状態に垂れ下がっている。図６は本８の背表紙８ｃから見た状態である。
【００１７】
【実施例】
第１実施例に於いて、栞Ｘを第１及び第２見開きだけでなく、さらに第３見開きも目印にしたい場合には、しおり本体１の長さをもっと長くすることができる。また、錘６は取り外しできるような構成にしても良い（例えば市販されている交換可能なアクセサリーの公知の各種構造）。さらに、調整具の形状は、円形、楕円形、矩形など任意の形状にすることができるが、矩形状の場合には、望ましくは角をアールに形成すべきである。なお、調整具２は、本実施例では金属板で形成されているが、材質は特に限定するものではなく、例えばプラスチックスなどの合成樹脂材で形成しても良い。また、しおり本体１の両端部の折り返し部分（取り付け端部）は、留め具、縫着など適宜に行われる。
【００１８】
次に第２実施例及び第３実施例について説明する。なお、これらの実施例の説明にあたって、第１実施例と同一又は同様（機能が同一）の部分には、同一又は同様の符号を付し、重複する説明を省略する。
【００１９】
図７に示す第２実施例に於いて、第１実施例と主に異なる点は、栞Ｘ１のしおり本体１Ａがネックレス状（目の細かい）チェーンであることである。すなわち、栞Ｘ１は、本の大きさに対応する所定長さのチェーンのしおり本体１Ａと、このしおり本体の一端部１ａに取付けられた調整リング２Ａと、この調整リング２Ａを基準として少なくとも本の表紙又は裏表紙に巻装状態に遊嵌合する縮小・拡大ループ部４Ａを形成する該調整リング２Ａの通過孔を通過し、かつ、所望の開閉頁（第２見開き）に挟まれるしおり本体の直線部５Ａから本の小口側へと露出するしおり本体の他端部１ｂに設けられた錘６とから成る。このように構成しても第１実施例と同一の作用・効果を得ることができる。
【００２０】
次に図８及び図９に示す第３実施例に於いて、第１実施例の構成に新たな構成要件（しおり補助体）を加味した点である。すなわち、栞Ｘ２は、本８の大きさに対応する所定長さの可撓性紐のしおり本体１と、このしおり本体の一端部１ａに取付けられた薄板状の調整具２Ｂと、この調整具２Ｂを基準として少なくとも本の表紙８ａ又は裏表紙８ｂに巻装状態に遊嵌合する縮小・拡大ループ部４を形成する該調整具２Ｂの通過孔３を通過し、かつ、所望の開閉頁に挟まれるしおり本体１の直線部５から本の小口側（１１，１２）へと露出するしおり本体１の他端部１ｂに設けられた錘６とから成り、前記調整具３Ｂには、第２又は第３所望の開閉頁（第２見開きか、又は第３見開き）に挟まれるしおり補助体１５の直線部５Ｂの一端部が取付けられ、一方、本の小口側（１１，１２）へと露出する該しおり補助体１５の他端部には、第２の錘６Ｂが設けられている。そして、この第２の錘６Ｂも第１実施例のそれと同様に飾り機能を有している。この実施例の場合には、しおり補助体１５を第２見開きか、又は第３見開きに選択的にその直線部５Ｂを挟装することができるので、本８の背表紙８ｃから見ると、第１錘６と第２錘６Ｂがストラップ状態に垂れ下がる。
【００２１】
【発明の効果】
以上の説明から明らかなように、本発明にあっては、次に列挙するような効果がある。
（１）装着が簡単である。また複数の頁を目印にすることができる。
（２）本を自由に開いても栞が全く落下しない。
（３）少なくとも本の表紙又は裏表紙に巻装状態に遊嵌合する縮小・拡大ループ部を当該本の大きさに対応して簡単に調整することができる。
（４）しおり本体を所望する開閉頁に挟めることができると共に、本の小口側へと露出したしおり本体の他端部の錘に飾り機能を付与することができる。
（５）図６で示すように、錘が常に背表紙側に露呈しているので、例えば本が本棚等にぎっしりと並んでいるような場合、錘を引っ張ることにより、本を容易に取り出せるという利点もある。
（６）第３実施例は、しおり本体及びしおり補助体を利用し、計三箇所以上を目印とすることができる。
【図面の簡単な説明】
【図１】本発明の第１実施例を示す正面図。
【図２】図１の２−２線拡大断面図。
【図３】しおり本体の縮小・拡大ループ部を第１見開きも含めて表紙側に装着した一例を示す概略説明図。
【図４】図３の状態に於いて、しおり本体の直線部或いは錘を引っ張る場合の概略説明図（本を省略）。
【図５】しおり本体の直線部を第２見開き沿わせた場合の概略説明図。
【図６】本を閉じた場合における使用状態の一例を示す概略説明図。
【図７】第２実施例の正面図。
【図８】第３実施例の正面図。
【図９】第３実施例に於いて、本を閉じた場合における使用状態の一例を示す概略説明図。
【符号の説明】
Ｘ，Ｘ１，Ｘ２…栞、１，１Ａ…しおり本体、１ａ…一端部、１ｂ…他端部、２，２Ａ…調整具、２ａ…取付け部、３…通過孔、４，４Ａ…縮小・拡大ループ部、５，５Ａ，５Ｂ…直線部、６，６Ｂ…錘、８…本、８ａ…表紙、１０…第１見開き、１１…上方小口、１２…下方小口、１３…第２見開き、１５…しおり補助体。
【図１】
2004202809.tif 000003
【図２】
2004202809.tif 000004
【図３】
2004202809.tif 000005
【図４】
2004202809.tif 000006
【図５】
2004202809.tif 000007
【図６】
2004202809.tif 000008
【図７】
2004202809.tif 000009
【図８】
2004202809.tif 000010
【図９】
2004202809.tif 000011